(57)【特許請求の範囲】
【請求項１】
複数本のリード端子の一端側に部品本体、他端側に帯状の搬送帯から切り落とされた個片の搬送帯を有する部品の、前記リード端子の中部を保持する保持手段と、この保持手段による保持部より前記個片の搬送帯側のリード端子を切断する切断手段と、この切断手段によるリード端子の切断動作後に、前記個片の搬送帯を前記帯状の搬送帯の長手方向に押圧する押圧手段とを備え、
前記押圧手段は、リード線の長手方向に凹溝を有し、一端側に前記凹溝、他端側に支点を有するレバーにより構成した部品実装機。
【請求項２】
前記押圧手段の前記支点は前記凹溝より切断側に設けた請求項１に記載の部品実装機。
【請求項３】
前記切断手段と前記押圧手段は、一つのカムにより駆動する構成とした請求項１又は２に記載の部品実装機。
【発明の詳細な説明】
【０００１】
【発明の属する技術分野】
本発明はリード端子を有する部品の部品実装機に関するものである。
【０００２】
【従来の技術】
従来の部品実装機について以下説明を行う。従来の部品実装機においては、複数本のリード端子の一端側に部品本体、他端側に搬送帯を有する部品の、前記リード端子の中部を保持手段により保持した状態で、この保持手段による保持部よりも、搬送帯側のリード端子を切断手段により切断する構成となっていた。
【０００３】
すなわち、部品本体は複数本のリード端子を有し、このリード端子は帯状の搬送帯に固定されており、この帯状の搬送帯で部品を一つずつ搬送し、そしてその搬送終点において、この帯状の搬送帯から個片となる搬送帯を切り落とし、その後はこの個片となった搬送帯を、リード端子から切り落とす事が行われていたのである。
【０００４】
【発明が解決しようとする課題】
上述のごとく部品本体のリード端子から、搬送帯を切断手段により切り落とすのであるが、この切断動作に伴い切断手段が摩耗し、やがてはリード端子から搬送帯を確実に分離する事が出来なくなる事があった。そこで本発明はリード端子から搬送帯を確実に分離することを目的とするものである。
【０００５】
【課題を解決するための手段】
そしてこの目的を達成する為に、本発明は切断手段によるリード端子の切断動作後に、個片の搬送帯を帯状の搬送帯の長手方向に押圧する押圧手段を設けたものである。すなわち切断手段によるリード端子の切断動作後に、個片の搬送帯を押圧手段により帯状の搬送帯の長手方向に押圧すれば、不完全な切断状態にあるリード端子から、搬送帯を確実に分離する事が出来るようになるものである。また押圧手段は、リード線の長手方向に凹溝を有するので、この押圧手段の凹溝により、搬送帯をその長手方向に押圧する事が、確実に行えるようになるものである。すなわち凹溝内に搬送体が包み込まれた状態で、その長手方向に押圧するようにするので、リード線から搬送帯を確実に分離する事が出来るものである。さらに、押圧手段は一端側に凹溝、他端側に支点を有するレバーにより構成されたものであるので、凹溝をレバーの他端側の支点を中心として大きく回動させる事ができ、これによってリード端子から搬送帯を、確実に分離する事が出来るようになるものである。
【０００９】
次に本発明の請求項２に記載の発明によれば、押圧手段の支点は、凹溝より切断側に設けた請求項１に記載の部品実装機であって、押圧手段を搬送帯に押圧させる場合、押圧手段が搬送帯をほぼ平行方向に押すような力が加わり、これによってリード端子から搬送帯を確実に分離し易くなるものである。
【００１０】
次に本発明の請求項３に記載の発明によれば、切断手段と押圧手段は、一つのカムにより駆動する構成とした請求項１又は２に記載の部品実装機であって、切断手段と押圧手段が一つのカムにより駆動されるので、切断動作終了時において、押圧手段による押圧が行われるようになり、つまり両者のタイミングが崩れる事が無く、これによってリード端子から搬送帯を確実に分離する事が出来るようになるものである。
【００１１】
【発明の実施の形態】
以下本発明の一実施形態を添付図面に従って説明する。
【００１２】
図１において、１は部品本体で、この部品本体１は２本のリード端子２の一端側に固定されている。リード端子２の他端側には、前述したように帯状の搬送帯から切り落とされて個片となった搬送帯３が固定されている。つまりこの図１に示すものにおいては、長尺の帯状の搬送帯で搬送されたものをその搬送終点時において、この図１に示す個片となる搬送帯３に分離したものが、この図１に示されているものである。さてこの図１においては、リード端子２から搬送帯３を分離する状態を示している。この場合、リード端子２の中部を左右の保持手段４により保持し、この保持部よりも搬送帯３側を左右の切断刃６によって切断を行う。
【００１３】
具体的には左右の切断刃６を保持手段４よりも下方において強く押し付け、これによってリード端子２から搬送帯３を分離するものである。この場合、まず切断刃６をリード端子２に強く押し付け、この押し付けられた状態において、押圧手段７が搬送帯３を図１の左側に押圧するようになっている。
【００１４】
すなわち切断刃６によっても、確実にリード端子２から搬送帯３を分離出来ない場合であっても、その搬送帯３を押圧手段７で図１の左側に押圧する事で、不充分な切断状態となっているリード端子２から搬送帯３を分離するものである。この場合にこの図１にも示しているが、押圧手段は搬送帯３をその長手方向、すなわち図１の左側に押圧するものであるが、押圧手段７にはリード端子２の長手方向に凹溝８を有する。
【００１５】
したがってこの凹溝８内に搬送帯３がはまり込んだ状態で、搬送帯３を図１の左側に押圧することになるものである。このような動作を行わせる為に、押圧手段はその一端側に凹溝８を有し、他端側は支点９により軸支されたレバー１０により構成している。この支点９と保持手段７の状態を示したものが図２である。この図２に示す如く、押圧手段７が回動していない状態においては、支点９の方が搬送帯３に接近した状態となっている。
【００１６】
ちょうどこれは搬送帯３と押圧手段７の中間部分に、支点が位置した状態となっている。このような位置に支点９を設ける事により、押圧手段７を搬送帯側に押圧させる場合、押圧手段７が搬送帯３をほぼ平行方向に押すような力が加わり、これによってリード端子２から搬送帯３を確実に分離し易くなるものである。
【００１７】
比較の為に図３のように支点９が保持手段７よりも右側に位置していた場合には、この図３に示すように押圧手段７はこの図３の状態から、下方に向かって搬送帯３に力を加える状態となる。その場合リード端子２の内、右側のものには十分な力が加わるであろうが、左側のものにはその力は加わらず、左側のリード端子２が残ってしまう事がある。それに対して図２のように支点９を押圧手段７よりも左側に設けておけば、保持手段７は平行方向へと動く状態となるので、リード端子２から搬送帯３をより分離し易くなるものである。
【００１８】
尚、このように切断刃６と押圧手段７とは、動作においては必ず切断刃６がまずリード端子２の切断動作を行い、その後押圧手段７でまだ残っていた場合には、搬送帯３を押圧することになる。そのような連携した動作を行わせる為に、図４に示すようにこれらの切断刃６と押圧手段７は、一つのカム１１によって駆動するようにしている。尚、この図４においては、一つのカム１１といっても実際には２枚のカム板１２，１３を設けており、一方のカム板１２にカムフォロア１４、レバー１５を回して切断刃６が駆動されるような構成としており、またカム板１３にはカムフォロア１６、レバー１７を回して押圧手段７が連結されているものである。
【００１９】
【発明の効果】
以上のように本発明は、複数本のリード端子の一端側に部品本体、他端側に搬送帯を有する部品の、前記リード端子の中部を保持手段によって保持した状態で、この保持手段による保持部よりも搬送帯側のリード端子を切断手段で切断し、この切断手段によるリード端子の切断動作後に、まだリード端子に搬送帯が残っている場合には、搬送帯を押圧手段により帯状の搬送帯の長手方向に押圧する構成としたものであるので、リード端子から搬送帯を確実に分離する事が出来るようになるものである。
【図面の簡単な説明】
【図１】本発明の一実施形態の要部の斜視図
【図２】その正面図
【図３】比較の為に用いた正面図
【図４】そのカム部分の斜視図
【符号の説明】
１  部品本体
２  リード端子
３  搬送帯
４  保持手段
６  切断刃
７  押圧手段
８  凹溝
９  支点
１０  レバー
１１  カム
１２，１３  カム板
１４，１６  カムフォロア
１５，１７  レバー
【図１】
0004622127.tif 000002
【図２】
0004622127.tif 000003
【図３】
0004622127.tif 000004
【図４】
0004622127.tif 000005